(57)【要約】【課題】建築物の屋上、屋根等の人工基盤上に、迅速かつ容易に施工可能で、特別なメンテナンスを行わなくても植栽基盤等のダメージを最小限に抑え、かつセダム類が枯れにくい、通常の環境下での緑化推進に貢献できる植生ユニット及び緑化方法を提供する。【解決手段】人工基盤上に、防根シートを介し、表面に凹凸部が設けられた、感温性吸排水樹脂を含有した連続気泡型多孔体または繊維圧縮成型体からなる植栽基盤を施設し、該植物基盤の表面の凹部に、生育したセダム属の植物を植栽する。【選択図】    なし【特許請求の範囲】
【請求項１】
表面に凹凸が設けられた、感温性吸排水樹脂を含有した連続気泡型多孔体または繊維圧縮成型体からなる植栽基盤の、表面の凹部に、生育したセダム属の植物を植栽した植生ユニット。
【請求項２】
人工基盤上に、防根シートを介し、表面に凹凸部が設けられた、感温性吸排水樹脂を含有した連続気泡型多孔体または繊維圧縮成型体からなる植栽基盤を施設し、該植栽基盤の表面の凹部に、生育したセダム属の植物を植栽することを特徴とする、建築物の屋上、屋根等の緑化方法。
【発明の詳細な説明】
【０００１】
【発明の属する技術分野】
本発明は、建築物の屋上、屋根等の人工基盤上を簡便に緑化できる、感温吸排水性樹脂を含有した植生基盤とセダム属植物とからなる植生ユニット、及び緑化方法に関する。
【０００２】
【従来の技術】
近年、都市ビルの屋上及び集合住宅のベランダ、バルコニー、屋上等において、景観の向上、または、ヒートアイランド防止の目的で植栽する動きが活発になっており、これらの環境で植栽するため、いろいろな材料、工法が開発されている。
一般に屋上緑化をする場合、人工基盤上に、防水層、耐根シート、保水・排水層、透水フィルター等を順次セットし、最後に土壌、人工土穣を盛り植栽を施している。
しかしながら、設置時に多くの時間がかかり費用の増加を招くだけでなく、緑化したあとのメンテナンスにも多くの時間と労力を要する。又、屋上等の特殊環境下においては、建築物の構造特性上、建築基準法により重量制限がされており、土厚にも制限がある。
【０００３】
そこで、耐乾燥性があり通水性の良い、土壌等の少ない環境でも良好に生育することができるセダム類を植生した薄層システム形態が提案されている。
例えば、特許文献１にはポーラスセラミック層とその上に生育した植物を含む植栽層とを備えた植栽ユニットが、特許文献２には粗粒骨材にガラスを配合したものを成形・焼成したセラミック板状植生基盤材の連続孔隙に土壌等の充填材を充填した植生ユニットが、特許文献３には不織布の上面に係止部材を設けて該係止部材に火山砂利を主構成とした軽量土壌材料を絡ませて保持した植生構造が、特許文献４には粒状セラミック、多孔質コンクリート、天然石等を配合して固めた植栽基盤に植栽凹部を設け該凹部に粘着剤を添加した少量の土壌を介して植物を差し込む簡易緑化方法が、それぞれ報告されている。
【０００４】
【特許文献１】
特開２００２−３３５７４８号公報
【特許文献２】
特開２００２−３３５７４７号公報
【特許文献３】
特開２００２−３１５４３１号公報
【特許文献４】
特開２００１−３０３５７４号公報
【０００５】
しかしながら、これら方法は、植生ユニットの製造あるいは人工基盤上への設置が煩雑であったり、セダム類を植え付ける作業に多大な労力を要したり、日照により植栽基盤等の表面温度が上昇し特別なメンテナンスを必要としたりセダム類が枯れる、等の、一つ以上の欠点を有していた。
【０００６】
【発明が解決しようとする課題】
本発明は、屋上等の人工基盤上に迅速かつ容易に施工可能で、特別なメンテナンスを行わなくても植生基盤等のダメージを最小限に抑え、かつセダム類が生育する植生ユニット及び緑化方法を提供することを課題とする。
【０００７】
【課題を解決するための手段】
本発明者らは、表面に凹凸を設けた、感温性吸排水樹脂を含有した植栽基盤を使用することにより、上記課題を解決できることを見出し、本発明に到達した。
すなわち本発明は、
（１）表面に凹凸が設けられた、感温性吸排水樹脂を含有した連続気泡型多孔体または繊維圧縮成型体からなる植栽基盤の、表面の凹部に、生育したセダム属の植物を植栽した植生ユニット、
（２）人工基盤上に、防根シートを介し、表面に凹凸部が設けられた、感温性吸排水樹脂を含有した連続気泡型多孔体または繊維圧縮成型体からなる植栽基盤を施設し、該植栽基盤の表面の凹部に、生育したセダム属の植物を植栽することを特徴とする、建築物の屋上、屋根等の緑化方法、
を提供するものである。
【０００８】
【発明の実施の形態】
以下、本発明を詳細に説明する。
本発明で用いられる感温性吸排水樹脂とは、特定の温度（以下、感温点という。）未満では水を吸水・保持し、感温点以上では水を吸水せず低温で吸水・保持した水を外部に排出する樹脂を言い、例えば特開平７−２２４１１９号公報、同８−１０００１０号公報等に記載の、Ｎ−イソプロピルアクリルアミド等のＮ−アルキルアクリルアミドを主成分モノマーとして重合架橋させた樹脂等を例示することができる。
このタイプの感温性吸排水樹脂は、Ｎ−アルキルアクリルアミドと共重合するモノマーを適当に選択することにより、感温点を任意に設定することができる。感温性吸排水樹脂を用いることにより、雨あるいは潅水により供給された水を吸水保持し、温度の上昇に伴い除放されることができるので、継続的に植物の根に水を供給することができる。本植生ユニットに使用される感温性吸排水樹脂の感温点は、１０〜４０℃の範囲にあることが望ましく、かつ、感温点の異なるものをブレンドしたものが好ましい。
【０００９】
本発明で使用される連続気泡型多孔体としては、発泡プラスチック、ポーラスな鉱物系粒子の結合物、ゴムチップの接着成型物、及び、これらを組み合わせたもの等が例示できる。中でもゴム系あるいはポリスチレン系、ポリオレフィン系、ポリウレタン系等の合成樹脂系の発泡体が好ましい。
また、繊維圧縮成型体については、天然繊維、合成繊維を圧縮成型したものが例示される。中でも、親水性のある合成繊維の圧縮成型体が好ましい。
【００１０】
本発明で使用される植栽基盤は、感温性吸排水樹脂が含有されたものである。植栽基盤中の感温性吸排水樹脂の含有量は、０．５〜２％容量程度で十分であり、添加される感温性吸排水樹脂は、粉末状、粒子状あるいは不定形のもの、等、固体の形状であれば、特に制限はない。
感温性吸排水樹脂が含有された植栽基盤は、例えば、特開平１１−１０３６６２号公報に記載の方法等により、連続気泡型多孔材あるいは繊維圧縮成型体を製造する途中に感温性吸排水樹脂を添加・混合することにより、容易に製造することができる。
【００１１】
植栽基盤の表面には凹凸が設けられるが、凹凸の設け方は任意であり、製造時に凹凸を設けた型に入れ成型する、あるいはブロックに成型した表面に凹凸を設けるようにカットする、等の方法を例示することができる。
凹凸の形状は、例えば、Ｖ型、Ｕ型、角型等の溝状に形成したもの、あるいは丸状、角状、台形状、円錐台状等の孔を形成したもの等が例示されるが、凹部へのセダム類の植裁栽培作業を容易にするために、はめ込みが可能な孔を形成したものが望ましく、大きさは概ね１〜５ｃｍ（底面の一辺あるいは直径）程度であり、全体の意匠を考慮して形成できる。
凹凸を形成することにより、水を基盤にしみ込ませ易く、根を活着させやすく、更に風で植物等が飛散しにくい、という作用効果を奏する。
【００１２】
植栽基盤の厚みは、重量制限と保水量のバランスを考慮し、３ｃｍ〜５ｃｍ程度が好ましい。
【００１３】
本発明の植生ユニットに使用される植物は、耐乾性が強いセダム属の植物が特に好ましい。セダム属の植物とは、ベンケイソウ科に属し、わずかな土壌にも自生できる多肉植物で、ツルマンネングサ、メキシコマンネングサ、メノマンネングサ、タイトゴメ、オノマンネングサ、マルバチマンネングサ等を例示することができる。
セダム属の植物は生育したもの、例えば苗、茎切断片等が用いられるが、苗を用いることが特に好ましい。苗は、根圏の大きさが５ｃｍ以下のものが望ましい。
セダム属の植物は、植栽基盤の表面に設けられた凹凸の凹部にはめ込むことにより植栽される。
【００１４】
本発明では、更に、植生ユニットを利用した、建築物の屋上、屋根等の緑化方法が提供される。
すなわち、人工基盤上に、防根シートを敷き、その上に、表面に凹凸が設けられた感温性吸排水樹脂を含有した連続気泡型多孔体あるいは繊維圧縮成型体からなる植栽基盤を設置し、該植栽基盤の表面の凹部に、生育したセダム属の植物を植栽することにより、屋上等の緑化を極めて容易に実現することができる。
また、植物（特に苗）の飛散防止等のため、防風ネットを用いることもできる。
【００１５】
【実施例】
以下、実施例を挙げ、本発明を具体的に説明する。
なお、実施例に記載の、表面に凹凸部が設けられた感温性吸排水樹脂を含有したウレタンフォーム成型体は、以下のものである（図１）。
感温性吸排水樹脂：感温点１５、２０、２５、３０及び３５℃の感温性吸排水樹脂を混合したもの
含有量：感温性吸排水樹脂／ウレタンフォーム成型体＝１０ｋｇ／１Ｍ３
凹凸部：凹部形状…円錐台状、凹部個数…６９６個／Ｍ２
実施例１
日当たり良好な、人工基盤上に防根シートを敷いた上に、表面に凹凸を設けた感温性吸排水樹脂を含有した厚さ５ｃｍ、縦６０ｃｍ、横５０ｃｍのウレタンフォーム成型体を設置し、水を散水し、該成型体を充分保水させた。次いでメキシコマンネングサの苗を、該成型体の凹部に３０個はめ込み、防風ネットを取り付けた。その後、潅水はせず、雨水だけで生育を観察した。
７、８月の風が強い、日射も強い条件でも、基盤の飛散は無く、メキシコマンネングサは枯れることなく生育した。
【００１６】
実施例２
日当たり良好な、人工基盤上に防根シートを敷いた上に、表面に凹凸を設けた感温性吸排水樹脂を含有した厚さ３ｃｍ、縦６０ｃｍ、横５０ｃｍのウレタンフォーム成型体を設置し、水を散水し、該成型体を充分保水させた。次いでメキシコマンネングサの苗を、該成型体の凹部に３０個はめ込み、防風ネットを取り付けた。その後、潅水はせず、雨水だけで生育を観察した。
７、８月の風が強い、日射も強い条件でも、基盤の飛散は無く、メキシコマンネングサは枯れることなく生育した。
【００１７】
比較例１
日当たり良好な、人工基盤上に防根シートを敷いた上に、軽量土壌、砂利を厚さ５ｃｍ、縦６０ｃｍ、横５０ｃｍになるように敷き、水を散水し土壌を充分保水させた。次いでメキシコマンネングサの苗を３０個植裁し、防風ネットを取り付けた。その後、潅水はせず、雨水だけで生育を観察した。
施工時、土壌の敷き詰め、セダム苗の植え付け作業に多大な労力を有した。又、７、８月の風が強い、日射も強い条件では、土壌や砂利の飛散があり、メキシコマンネングサは枯れた部分が発生し、枯れていないメキシコマンネングサも生育が悪かった。
【００１８】
比較例２
日当たり良好な、人工基盤上に防根シートを敷いた上に、表面に凹凸を設けた感温性吸排水樹脂を含有していない厚さ５ｃｍ、縦６０ｃｍ、横５０ｃｍのウレタンフォーム成型体を設置し、水を散水し、該成型体を充分保水させた。次いでメキシコマンネングサの苗を、該成型体の凹部に３０個はめ込み、防風ネットを取り付けた。その後、潅水はせず、雨水だけで生育を観察した。
７、８月の風が強い、日射も強い条件では、基盤の飛散は無いが、メキシコマンネングサは枯れた部分が発生し、枯れていないメキシコマンネングサも生育が悪かった。
【００１９】
【発明の効果】
以上説明してきたように、本発明によると、屋上等の人工基盤上に迅速かつ容易に施工可能で、特別なメンテナンスを行わなくても植栽基盤等のダメージを最小限に抑え、かつセダム類が枯れにくい、通常の環境下での緑化推進に貢献できる植生ユニット及び緑化方法が提供される。
【図面の簡単な説明】
【図１】実施例に使用した、表面に凹凸部が設けられた、感温性吸排水樹脂を含有したウレタンフォーム成型体の図である。
【図１】
2004254560.tif 000002